(57)【要約】【課題】防犯用にセキュリティを向上させると共に、来訪者への応対の質を高められる電子チャイムを提供せんとするものである。【解決手段】音源モジュール１００と、呼出スイッチ１１０と、音源モジュール１００からつながるＤＡＣ１２０・増幅器１２１・スピーカ１２２より構成される外部出力部と、音源モジュール１００からつながるＤＡＣ１３０・増幅器１３１・スピーカ１３２より構成される内部出力部と、制御装置１４０と、マイク１５０及びＡＤＣ１５１より構成される音声入力部と、ミキシング装置１７０と、エフェクト部とを有している。【選択図】　　　　図１
2004015313.tif 000002
【特許請求の範囲】
【請求項１】
仕切られた空間の内部への出力音データ及びその外部への出力音データが夫々格納される音源手段と、
上記空間外部での呼び出し操作が感知される呼び出し操作感知手段と、
上記外部出力音データに基づいて、空間外部へ出力音を出力せしめる外部出力手段と、
上記内部出力音データに基づいて、空間内部へ出力音を出力せしめる内部出力手段と、
該空間外部での呼び出し操作が感知された際、上記音源手段から外部への上記出力音データが読み出されて外部出力手段に出力音を出力させると共に、同音源手段から内部への上記出力音が読み出されて内部出力手段に出力音を出力させる制御手段と
を有することを特徴とする電子チャイム。
【請求項２】
仕切られた空間の内部への出力音データ及びその外部への出力音データが夫々格納される音源手段と、
上記空間外部での呼び出し操作が感知される呼び出し操作感知手段と、
上記外部出力音データに基づいて、空間外部へ出力音を出力せしめる外部出力手段と、
上記内部出力音データに基づいて、空間内部へ出力音を出力せしめる内部出力手段と、
該空間外部での呼び出し操作が感知された際、上記音源手段から外部への上記出力音データが読み出されて外部出力手段に出力音を出力させると共に、同音源手段から内部への上記出力音が読み出されて内部出力手段に出力音を出力させる制御手段と、
上記空間内部に備えられた音声入力手段と、
該音声入力手段で入力された音声を上記外部出力手段の出力にミキシングするミキシング手段と
を有することを特徴とする電子チャイム。
【請求項３】
仕切られた空間の内部への出力音データ及びその外部への出力音データが夫々格納される音源手段と、
上記空間外部での呼び出し操作が感知される呼び出し操作感知手段と、
上記外部出力音データに基づいて、空間外部へ出力音を出力せしめる外部出力手段と、
上記内部出力音データに基づいて、空間内部へ出力音を出力せしめる内部出力手段と、
該空間外部での呼び出し操作が感知された際、上記音源手段から外部への上記出力音データが読み出されて外部出力手段に出力音を出力させると共に、同音源手段から内部への上記出力音が読み出されて内部出力手段に出力音を出力させる制御手段と、
上記空間内部に備えられた音声入力手段と、
該音声入力手段で入力された音声を上記外部出力手段の出力にミキシングするミキシング手段と、
上記音声入力手段から入力された音声に、任意の音響効果を付加させて音声の音質を変化せしめ、上記ミキシング手段側へ出力するエフェクト手段と
を有することを特徴とする電子チャイム。
【請求項４】
上記音源手段に格納される外部出力音のデータとして複数のパターンが登録されると共に、上記空間内部に操作子が備えられ、該操作子の操作状態に応じて、上記制御手段により音源手段から読み出される上記データのパターンが変更され、外部出力手段から出力される出力音を変更せしめることを特徴とする請求項１〜請求項３いずれか１つに記載の電子チャイム。
【請求項５】
仕切られた空間外部での呼び出し操作が感知される呼び出し操作感知手段と、
該空間外部に備えられた音声入出力手段と、
上記空間内部に備えられた接続切替操作子と、
音声入出力部を備えた電話機と、
上記電話機に対し、任意の電話先にオートダイアルさせるダイアル実行手段と、
電話機の音声入力部を上記音声入出力手段の音声入力部に、また電話機の音声出力部を上記音声入出力手段の音声出力部に接続せしめる切替器と、
上記接続切替操作子が所定の状態に設定されている時に、上記呼び出し操作感知手段により空間外部での呼び出し操作が感知された場合、上記ダイアル手段にオートダイアルさせると共に、上記電話機がダイアルされた電話先と接続された時に、上記切替器により、電話機の音声入力部を上記音声入出力手段の音声入力部に、また電話機の音声出力部を上記音声入出力手段の音声出力部に接続させ、電話先から切断された時にこれらの接続を切断する制御手段と
を有することを特徴とする電子チャイム。
【請求項６】
仕切られた空間外部での呼び出し操作が感知される呼び出し操作感知手段と、
該空間外部に備えられた音声入出力手段と、
上記空間内部に備えられた接続切替操作子と、
所定の音声データが格納される音源手段と、
音声入出力部を備えた電話機と、
上記電話機に対し、任意の電話先にオートダイアルさせるダイアル実行手段と、
上記音源手段の出力を電話機の音声入力部に接続するセレクタと、
さらに電話機の音声入力部を上記音声入出力手段の音声入力部に、また電話機の音声出力部を上記音声入出力手段の音声出力部に接続せしめる切替器と、
上記接続切替操作子が所定の状態に設定されている時に、上記呼び出し操作感知手段により空間外部での呼び出し操作が感知された場合、上記ダイアル手段にオートダイアルさせると共に、上記電話機がダイアルされた電話先と接続された時に、上記セレクタにより音源手段の出力を上記電話機の音声入力部に接続して所定の音声データを出力させ、その後セレクタの切替を元に戻し、さらに上記切替器により、電話機の音声入力部を上記音声入出力手段の音声入力部に、また電話機の音声出力部を上記音声入出力手段の音声出力部に接続させ、電話先から切断された時にこれらの接続を切断する制御手段と
を有することを特徴とする電子チャイム。
【請求項７】
仕切られた空間外部での呼び出し操作が感知される呼び出し操作感知手段と、
該空間外部に備えられた音声入出力手段と、
上記空間内部に備えられた接続切替操作子と、
音声入出力部を備えた電話機と、
上記電話機に対し、任意の電話先にオートダイアルさせるダイアル実行手段と、
ダイアルされた電話先の表示手段に上記電話機の電話番号を表示させる電話番号出力手段と、
電話機の音声入力部を上記音声入出力手段の音声入力部に、また電話機の音声出力部を上記音声入出力手段の音声出力部に接続せしめる切替器と、
上記接続切替操作子が所定の状態に設定されている時に、上記呼び出し操作感知手段により空間外部での呼び出し操作が感知された場合、上記ダイアル手段にオートダイアルさせ、且つ上記電話番号出力手段により電話先の表示手段に上記電話機の電話番号を表示させると共に、上記電話機がダイアルされた電話先と接続された時に、上記切替器により、電話機の音声入力部を上記音声入出力手段の音声入力部に、また電話機の音声出力部を上記音声入出力手段の音声出力部に接続させ、電話先から切断された時にこれらの接続を切断する制御手段と
を有することを特徴とする電子チャイム。
【請求項８】
上記電話機の音声出力部から出力される音声に任意の音響効果が付加されるエフェクト手段が備えられ、電話機側から上記音声入出力手段の音声入力部に入力される音声の音質を変化させることを特徴とする請求項５〜請求項７いずれか１つに記載の電子チャイム。
【請求項９】
所定の音声データが格納される音源手段が設けられると共に、上記呼び出し操作感知手段により空間外部での呼び出し操作が感知された際に上記制御手段によって該音源手段から音声入出力手段の音声出力部に発せられる上記音声データ及び上記音声入出力手段の音声入力部側から入力される音声が格納されるボイスメモリが備えられ、電話機がダイアルされた電話先と接続された時に、上記制御手段により、ボイスメモリに格納されている音声入力部側から入力された音声及び上記音源手段から発せられた音声データが、電話機の音声入力部に出力されることを特徴とする請求項５〜請求項８いずれか１つに記載の電子チャイム。
【発明の詳細な説明】
【０００１】
【発明の属する技術分野】
本発明は、来客用及び防犯用に何らかの応答を行わせる電子チャイムに関する。
【０００２】
【従来の技術】
外部からの来客を知らせる場合、従来は玄関口や建物のエントランスで、チャイムスイッチが押され、それに呼応して内部でチャイムなどが鳴る。
【０００３】
そしてインターフォンが併せて設置されている場合は、該来客と屋内にいる者とが該インターフォン越しに、来訪の内容を伝え合い、用をたしているのが現状である。
【０００４】
【発明が解決しようとする課題】
しかし、上記従来構成では、単にチャイム音が鳴るだけで、非常に味気ないものであった。
【０００５】
また屋内に誰もいない（留守にしている）場合は、チャイム音だけが玄関口やエントランスにも聞こえ、誰もいないことが分かってしまって、防犯上問題があった。
【０００６】
さらに上記のように留守の場合、来訪者との話ができず、大事な用を済ますことができなかったり、来訪者に失礼になってしまうことがある（特に予め来訪者が日時を指定して来訪したにもかかわらず、それを忘れて近所に買い物に出かけてしまう場合など）。
【０００７】
他方、屋内にいる者がインターフォン越しに返事をしても、子供や女性がその返事をする場合、声の質から、どのような者が在宅しているかが分かってしまい、上記と同様に防犯上問題がある。
【０００８】
本発明は以上のような実情に鑑み創案されたもので、来客用及び防犯用に何らかの応答を行わせ、セキュリティを向上させると共に、来訪者への応対の質を高められる電子チャイムを提供せんとするものである。
【０００９】
【課題を解決するための手段】
本発明に係る電子チャイムは、
仕切られた空間の内部への出力音データ及びその外部への出力音データが夫々格納される音源手段と、
上記空間外部での呼び出し操作が感知される呼び出し操作感知手段と、
上記外部出力音データに基づいて、空間外部へ出力音を出力せしめる外部出力手段と、
上記内部出力音データに基づいて、空間内部へ出力音を出力せしめる内部出力手段と、
該空間外部での呼び出し操作が感知された際、上記音源手段から外部への上記出力音データが読み出されて外部出力手段に出力音を出力させると共に、同音源手段から内部への上記出力音が読み出されて内部出力手段に出力音を出力させる制御手段と
を有することを基本的特徴としている。
【００１０】
上記構成によれば、上記呼び出し操作感知手段により、該空間外部での呼び出し操作が感知された際（例えば玄関口やエントランスの呼び出しスイッチが押された際）、上記制御手段により、自動的に音源手段から外部への上記出力音データが読み出されて外部出力手段に出力音が出力されると共に、同音源手段から内部への上記出力音が読み出されて内部出力手段に出力音が出力されることになる。
【００１１】
例えば、空間内部（屋内など）では、「ピン・ポーン」というチャイム音の後に「おーい、お客さんだよ」と、呼び声を上記内部出力手段に出力させ、またその外部（玄関口やエントランスなど）では、上記内部音出力の後に自動的に「どちら様でしょうか？」などと対応させることができ、たとえ人が屋内にいない場合でも、上記質問の後「只今、所用で出られませんので、○○時に（又は○○日に）もう一度おいでください。」などと、さも人がいて応対しているかのような、人の気配を感じさせることができ、しかも来訪者に失礼になることがない。
【００１２】
上記のような応対をさせるために、上記音源手段には、内部出力音データとして、例えば「ピン・ポーン」というチャイム音とその後に続く「おーい、お客さんだよ」という人声データを格納すると共に、外部出力音データとして、例えば「どちら様でしょうか？」や「只今、所用で出られませんので、○○時に（又は○○日に）もう一度おいでください。」という人声データを格納すると良い。また外部出力音データとして、「どちら様でしょうか？」という人声の後に、「只今、所用で出られませんので、○○時に（又は○○日に）もう一度おいでください。」と続けるためには、来訪者の人声の切れたところを感知したり、或いは上記質問の後の時間を計測して、例えば数秒してから、上記のように続けても良い。尚、来訪者の人声を別途録音しておけば、誰が来訪したかが分かるようになり、大切な来訪者には後で連絡をとって、用件を聞いたり、再度の来訪などを約束したりすることができる。
【００１３】
請求項２の構成は、上記請求項１の構成において、外部出力手段に、外部出力音データに続けて、さらに空間内部に居る人の声を出力できる構成とするものである。すなわち、上記請求項１の構成で、例えば「どちら様でしょうか？」との外部来訪者への問いかけに対し、来訪者が答え、内部に居る者が上記音源手段に格納された外部出力音データを使用せずに、自分で応答しようとする場合、空間内部に居る人の声を外部出力手段から出力できる構成とするものであって、より具体的には、
上記請求項１の構成の他に、さらに
上記空間内部に備えられた音声入力手段と、
該音声入力手段で入力された音声を上記外部出力手段の出力にミキシングするミキシング手段と
を有することを特徴としている。
【００１４】
すなわち、必要に応じて、音声入力手段から入力された自分の音声出力を、上記ミキシング手段により、外部出力手段の出力にミキシングすることで、外部来訪者などに自分で応答することが可能となる。従って、当初防犯上、音源手段に格納された外部出力音データを外部出力手段に出力させて、応答させていたが、後にその来訪者が問題のない（或いは大切な）人だと分かった場合、その後は自分の声で応答することができ、来訪者へ適切に対処することができるようになる。
【００１５】
また該請求項２の構成において、来訪者が何者であるかが分からず、うっかり子供や女性がそのままの肉声で答えてしまった場合、その声質から、どのような者が在宅しているかが分かってしまい、上述のように防犯上問題があるので、請求項３では、請求項２の構成に加えて、上記音声入力手段から入力された音声に任意の音響効果を付加するエフェクト手段が備えられ、上記ミキシング手段でミキシングされて外部出力手段から出力される音声の音質を変化させることができる構成につき提案する。このようなエフェクト手段としては、例えば入力された音声データのフォルマントを変更し、成人男性の声色などにして外部に出力できるような構成が考えられる。そのようにすることだけでも、防犯効果はより高いものとなる。
【００１６】
請求項４の構成は、上記請求項１〜請求項３の各構成をさらに改良するものであって、上記音源手段に格納される外部出力音のデータとして複数のパターンが登録されるようにし、上記空間内部に操作子が備えられ、該操作子の操作状態に応じて、上記制御手段により音源手段から読み出される上記データのパターンが変更され、外部出力手段から出力される出力音を変更せしめる構成が提案されている。
【００１７】
当該構成では、空間内部に居る者の都合により、上記操作子を操作し、外部出力音のデータとして格納されているものの中から適宜必要なデータを読み出して、制御手段により音源手段から読み出される上記外部出力音データのパターンが変更され、例えば「お待ちください。」（実際に応対する前に済ましておく用がある場合など）、「もう一度お名前を教えてください。」（来訪者の名前が聞き取りできなかった場合や、怪しい来訪者の２度目の返答の様子を確かめる場合など）、「どのようなご用件でしょうか？」（来訪者の来訪目的が分からない場合や、次のお断りの返答をする場合の前置き的な言葉として）、「残念ながらお会いできません。」及び「お帰りください。」（来訪者にはっきり応対の拒絶を知らせる場合など）などと、外部出力手段から出力される出力音を変更せしめ、自分は声を出さずに、上記格納された音声データを切り換えて対応させることができる。上記操作子を切り換えるだけなので、例えば来訪者がやっかいな人のために追い払うのに、仮に自分の肉声で答えるとその音声に震えが出てしまうような場合でも、はっきり拒絶することができる。
【００１８】
また空間内部にいる者が外出する場合に、外出時の応対用データとして予め格納された上記外部出力音データが出力されるように、上記操作子を操作することで、留守時の対応を該電子チャイムが行ってくれることになる。この場合、できれば、来訪者の返答を録音（テープレコーダだけでなく、電子的に上記音源手段などに）することができる構成としてあれば、上述と同様、誰が来訪したかが分かるようになり、大切な来訪者には後で連絡をとって、用件を聞いたり、再度の来訪などを約束したりすることができる。
【００１９】
他方請求項５〜請求項７の構成は、空間内部に居る者が外出する場合に、来訪者が訪ねてきた場合、出先乃至自分が持って移動する携帯電話などに自動的に接続し、外出先から、来訪者と話ができるようにする構成を提案する。
【００２０】
そのうち、請求項５の電子チャイムの構成は、
仕切られた空間外部での呼び出し操作が感知される呼び出し操作感知手段と、
該空間外部に備えられた音声入出力手段と、
上記空間内部に備えられた接続切替操作子と、
音声入出力部を備えた電話機と、
上記電話機に対し、任意の電話先にオートダイアルさせるダイアル実行手段と、
電話機の音声入力部を上記音声入出力手段の音声入力部に、また電話機の音声出力部を上記音声入出力手段の音声出力部に接続せしめる切替器と、
上記接続切替操作子が所定の状態に設定されている時に、上記呼び出し操作感知手段により空間外部での呼び出し操作が感知された場合、上記ダイアル手段にオートダイアルさせると共に、上記電話機がダイアルされた電話先と接続された時に、上記切替器により、電話機の音声入力部を上記音声入出力手段の音声入力部に、また電話機の音声出力部を上記音声入出力手段の音声出力部に接続させ、電話先から切断された時にこれらの接続を切断する制御手段と
を有することを特徴としている。
【００２１】
上記構成によれば、外出時に上記接続切替操作子を外出モード用に切り換えておくことで、呼び出し操作感知手段により空間外部での呼び出し操作が感知された場合には、上記制御手段により、上記ダイアル手段に所定の電話先にオートダイアルさせると共に、上記電話機がダイアルされた電話先と接続された時に、上記切替器により、電話機の音声入力部が上記音声入出力手段の音声入力部に、また電話機の音声出力部が上記音声入出力手段の音声出力部に接続され、また電話先から切断された時にこれらの接続が切断されることになる。これによって安心して外出先から、来訪者に応対することができるようになる。
【００２２】
他方、外出中に自動的に（特に携帯電話などに）ダイアルされて、電話がかかってくれば、普通の電話接続であると勘違いして、通常「もしもし」と言ってしまうため、来訪者に、接続先が空間内部側ではなく電話であることが分かってしまう可能性がある。結局留守であることが分かってしまえば、防犯上問題になることにもなりかねない。そこで、請求項６の構成では、上記電話機がダイアルされた電話先と接続された時に、上記制御手段により、セレクタに指示を出し、それによって音源手段の出力を上記電話機の音声入力部に接続して所定の音声データ（例えば今回の電話は空間外部に来訪者が来ていてその応対のための電話である旨を知らせる音声通知など）を出力させ、その後（従ってこの切替前なら「もしもし」と言っても来訪者には聞こえない）セレクタの切替を元に戻し、さらに上記切替器により、電話機の音声入出力部を上記音声入出力手段の音声入出力部に接続する構成とするものである。より具体的には、
仕切られた空間外部での呼び出し操作が感知される呼び出し操作感知手段と、
該空間外部に備えられた音声入出力手段と、
上記空間内部に備えられた接続切替操作子と、
所定の音声データが格納される音源手段と、
音声入出力部を備えた電話機と、
上記電話機に対し、任意の電話先にオートダイアルさせるダイアル実行手段と、
上記音源手段の出力を電話機の音声入力部に接続するセレクタと、
さらに電話機の音声入力部を上記音声入出力手段の音声入力部に、また電話機の音声出力部を上記音声入出力手段の音声出力部に接続せしめる切替器と、
上記接続切替操作子が所定の状態に設定されている時に、上記呼び出し操作感知手段により空間外部での呼び出し操作が感知された場合、上記ダイアル手段にオートダイアルさせると共に、上記電話機がダイアルされた電話先と接続された時に、上記セレクタにより音源手段の出力を上記電話機の音声入力部に接続して所定の音声データを出力させ、その後セレクタの切替を元に戻し、さらに上記切替器により、電話機の音声入力部を上記音声入出力手段の音声入力部に、また電話機の音声出力部を上記音声入出力手段の音声出力部に接続させ、電話先から切断された時にこれらの接続を切断する制御手段と
を有することを特徴としている。
【００２３】
また接続先の機器（普通の電話や携帯電話など）が、ナンバーディスプレイ（登録商標）のように、かかってきた先の電話番号を電話をとる前に表示できる構成であれば、本構成の電話機の電話番号を、電話をとる前に表示させることができるため、その番号が特定の電話番号であるならば、今回の電話は来訪者が来ていてその応対のための電話であることが分かることになる。従って請求項６と同様な趣旨から、請求項７では、電話番号出力手段により、電話をとる前でも、ダイアルされた電話先の表示手段に上記電話機の電話番号を表示させることができるようにするものである。より具体的には、
仕切られた空間外部での呼び出し操作が感知される呼び出し操作感知手段と、
該空間外部に備えられた音声入出力手段と、
上記空間内部に備えられた接続切替操作子と、
音声入出力部を備えた電話機と、
上記電話機に対し、任意の電話先にオートダイアルさせるダイアル実行手段と、
ダイアルされた電話先の表示手段に上記電話機の電話番号を表示させる電話番号出力手段と、
電話機の音声入力部を上記音声入出力手段の音声入力部に、また電話機の音声出力部を上記音声入出力手段の音声出力部に接続せしめる切替器と、
上記接続切替操作子が所定の状態に設定されている時に、上記呼び出し操作感知手段により空間外部での呼び出し操作が感知された場合、上記ダイアル手段にオートダイアルさせ、且つ上記電話番号出力手段により電話先の表示手段に上記電話機の電話番号を表示させると共に、上記電話機がダイアルされた電話先と接続された時に、上記切替器により、電話機の音声入力部を上記音声入出力手段の音声入力部に、また電話機の音声出力部を上記音声入出力手段の音声出力部に接続させ、電話先から切断された時にこれらの接続を切断する制御手段と
を有することを特徴としている。
【００２４】
以上の構成で、外出した場合でも、来訪者への応対が外出先でできるようになり、しかも、電話をとる前に、特定の電話番号が表示されるため、「もしもし」等と言う返答をしてしまうことがなくなり、従って留守であることが分かってしまって、防犯上問題になることもない。
【００２５】
上記請求項５〜請求項７のいずれの構成の場合も、上記電話機の音声出力部が音声入出力手段の音声出力部に接続された際に、該電話機につながる電話先の声が、そのまま出力された場合（特に子供や女性の声）、たとえ外出中ではあったとしても、やはり防犯上問題になる（内部にいる者は子供又は女性であると勘違いして留守中の空間内部に侵入してくる可能性は否定できない）。
【００２６】
そこで請求項８の構成は、上記請求項５〜請求項７の各構成をさらに改良するものであって、上記電話機の音声出力部から出力される音声に任意の音響効果が付加されるエフェクト手段が備えられ、電話機側から上記音声入出力手段の音声入力部に入力される音声の音質を変化させる構成につき提案する。このようなエフェクト手段としては、上述と同じように、例えば入力された音声データのフォルマントを変更し、成人男性の声色などにして外部に出力できるような構成が考えられる。
【００２７】
また上記呼び出し操作感知手段により空間外部での呼び出し操作が感知された際に、自動的にその呼び出しに応答できる構成としておき、さらに来訪者がそれに答えて返答する時の様子などを後述するボイスメモリに格納しておき、上述のように、呼び出し操作の感知に対応して、電話機から自動的に所定の電話先にダイアルされて接続された時に、上記の自動応答と来訪者の返答とを聞くことができるようにすれば、その後に来訪者の来訪状況に対応した応対ができるようになる。
【００２８】
請求項９の電子チャイムの構成は、上記請求項５〜請求項８の各構成をそのような目的のためにさらに改良するものであって、より具体的には、所定の音声データが格納される音源手段が設けられると共に、上記呼び出し操作感知手段により空間外部での呼び出し操作が感知された際に上記制御手段によって該音源手段から音声入出力手段の音声出力部に発せられる上記音声データ及び上記音声入出力手段の音声入力部側から入力される音声入力が格納されるボイスメモリが備えられ、電話機がダイアルされた電話先と接続された時に、上記制御手段により、ボイスメモリに格納されている音声入力部側から入力された音声入力及び上記音源手段から発せられた音声データが、電話機の音声入力部に出力されることを特徴としている。
【００２９】
【発明の実施の形態】
以下、本発明の実施の形態を図示例と共に説明する。
（実施例１）
図１は、本発明に係る電子チャイムの一実施例構成を示す回路ブロック説明図である。
【００３０】
本電子チャイムの構成は、音源モジュール１００と、呼び出し操作を感知する呼出スイッチ１１０と、上記音源モジュール１００から後述するＤＳＰ１６０を介してつながるデジタルアナログコンバータ（以下ＤＡＣと言う）１２０・増幅器１２１・スピーカ１２２より構成される外部出力部と、同じく音源モジュール１００から後述するＤＳＰ１６０を介してつながるＤＡＣ１３０・増幅器１３１・スピーカ１３２より構成される内部出力部と、制御装置１４０と、マイク１５０及びアナログデジタルコンバータ（以下ＡＤＣと言う）１５１より構成される音声入力部と、デジタルシグナルプロセッサ（以下ＤＳＰと言う）１６０内の加算器で構成されるミキシング装置１７０と、同じく該ＤＳＰ１６０で構成されるエフェクト部とを備えている。
【００３１】
上記音源モジュール１００には、玄関内側（屋内）への出力音データと玄関外側（屋外）への出力音データが格納され、後述する制御装置１４０の指令により、屋内用出力音データＢが、また屋外用出力音データＡが出力されることになる。そのような屋内用出力音データＢとしては、たとえば、「ピン・ポーン」というチャイム音とその後に続く「おーい、お客さんだよ」という男性成人の呼び声の音声データが、また屋外用出力音データＡとしては、「どちら様でしょうか？」などとの同じく男性成人の対応用の音声データや、さらに該質問後の「只今、所用で出られませんので、○○時に（又は○○日に）もう一度おいでください。」などといった人の気配を感じさせることができる音声データが考えられる。
【００３２】
上記呼出スイッチ１１０は、本実施例構成では、通常の押しボタン式スイッチであり、その呼び出し操作信号は、後述する制御装置１４０に入力される。
【００３３】
上記外部出力部は、上述のように、音源モジュール１００から出力される屋外用出力音データＡをデジタルデータからアナログデータに変換するＤＡＣ１２０と、変換されたアナログデータを増幅する増幅器１２１と、その出力信号を玄関サイドに放音するスピーカ１２２とで構成されている。
【００３４】
上記内部出力部は、上述のように、音源モジュール１００から出力される屋内用出力音データＢをデジタルデータからアナログデータに変換するＤＡＣ１３０と、変換されたアナログデータを増幅する増幅器１３１と、その出力信号を屋内で放音するスピーカ１３２とで構成されている。
【００３５】
上記制御装置１４０は、図面上の操作子１９０の設定状態（外出・多忙など、種々の対応状況を予め考えて音源モジュール１００に格納された音声データに対応した各操作子の設定状態）を常時感知し、その感知した状態に応じ、さらに上記呼出スイッチ１１０の呼び出し操作信号を受けて、音源モジュール１００から屋外用及び屋内用出力音データＡ・Ｂを出力させる。また上記操作子１９０の設定状態が音声変換の状態などの場合は、上記エフェクト部にコマンドを送り、音声入力部から入力された音声データに所定のエフェクトをかけることができるよう制御する。
【００３６】
上記音声入力部は、上述のように、マイク１５０及びＡＤＣ１５１により構成されており、マイク１５０で入力された音声信号は、ＡＤＣ１５１でアナログ信号からデジタル信号に変換され、上記ＤＳＰ１６０側に送られる。
【００３７】
上記ミキシング装置１７０は、上述のようにして入力されてきた音声信号を、上記外部出力部の出力にミキシングする構成であって、ＤＳＰ１６０の加算器で構成される。
【００３８】
また上記エフェクト部は、同じくＤＳＰ１６０で構成されており、上記制御装置１４０からの指令（コマンド）で、音声入力部で入力された音声信号（デジタル信号）に、特定のエフェクトをかけ、上記ミキシング装置１７０で、外部出力部に出力できるようにしている。上記エフェクトとしては、たとえば、音声入力部から入力されてくる音声データのフォルマントを、成人男性のフォルマントに変換し、子供や女性の音声でも、外部に出力される際には成人男性の声色に変換されるエフェクト効果などが好適である。それ以外でも本装置が仕事上で外部と内部との呼び出しに使用される場合には、逆に女性の声色に変換するようにして、感じの良い対応ができるようなエフェクトがかけられるようにしても良い。
【００３９】
その他、本装置では、玄関外側（屋外）に設置されるマイク１８０と、その入力アナログ音声信号をデジタル信号に変換するＡＤＣ１８１と、その信号を、音源モジュール１００から出力された内部出力音データＢにミキシングする上記ＤＳＰ１６０で構成されるミキシング装置１８２とが備えられており、該構成では、外部のマイク１８０で入力された音声が屋内のスピーカ１３２で出力されるものとなり、通常のインターホンの場合の構成と同じ作用を奏することになる。
【００４０】
その点、上記屋内のマイク１５０で入力された音声がそのまま（音声変換の操作子１９０が設定されていない状態の場合）最終的に屋外のスピーカ１２２に出力される場合も、同じである。
【００４１】
図２は、上記制御装置１４０の内部構成を示すブロック図である。同図に示すように、本制御装置１４０は、後述するＣＰＵ２を中心に各部へのアドレス及びデータの転送を行うと共に上記音源モジュール１００へと接続されるシステムバス１と、該バス１を通じて必要なデータの入出力と共に必要な演算を行い、且つ本電子チャイム全体の制御をなすＣＰＵ２と、バス１を介してＣＰＵ２との間でデータの入出力を行い、特にＣＰＵ２のワーキングエリアを提供するＲＡＭ３と、本装置の制御プログラムを格納すると共に必要なデータの出力をなすＲＯＭ４と、呼出スイッチ１１０の操作信号を受けて上記バス１上に入力する入力ポート５ａと、操作子１９０の操作信号を受けて上記バス１に入力する入力ポート５ｂと、音声変換の際に上記ＤＳＰ１６０にエフェクトをかけるためのコマンドを送る出力ポート６ａとを有している。尚、破線で示す出力ポート６ｂの構成は、後述する実施例２の制御装置２８０で使用される構成への制御信号用出力ポートであり、また上記システムバス１は、音源ボード２３０に接続されている状態を示しており、この図はその説明を兼ねている。
【００４２】
該制御装置１４０は、ＲＯＭ４の制御プログラムがＣＰＵ２に読み出され、そこで実行されることで、入力ポート５ｂにおいて、操作子１９０の状態を常に感知している。仮に操作子１９０の外出用操作子が外出用にセットされている場合に、屋外玄関の呼出スイッチ１１０の操作信号が入力ポート５ａに入力されると、上記ＣＰＵ２は、バス１を介して、音源モジュール１００に対し、屋外用及び屋内用出力音データＡ・Ｂを出力させる指令を出力する。
【００４３】
その指令を受けた音源モジュール１００は、図１に示すように、出力ポートＡ及びＢから、ＤＳＰ１６０に向けて（この場合は単にスルーするだけ）、屋外用及び屋内用出力音データＡ・Ｂを出力する。各データＡ・Ｂは、夫々ＤＡＣ１２０及び１３０でデジタル信号からアナログ信号に変換され、増幅器１２１及び１３１で増幅された後、屋外スピーカ１２２及び屋内スピーカ１３２から実際の音声となって出力される。
【００４４】
この時、上述のように、音源モジュール１００に、屋内用出力音データＢとして、チャイム音と共に、男性成人の呼び声の音声データが格納されていれば、「おーい、お客さんだよ」と屋内スピーカ１３２から出力され、また屋外用出力音データＡとして対応用の音声データが格納されていれば、上記屋内音出力の後に「どちら様でしょうか？」などや、さらに該質問後の「只今、所用で出られませんので、○○時に（又は○○日に）もう一度おいでください。」などといった人の気配を感じさせることができる音声が出力されることになる。特に後者の屋外用出力音データＡは、操作子１９０の外出を示す操作子や多忙を示す操作子が外出用・多忙用の状態にセットされることで、上記質問後に出力されることになる。
【００４５】
また「どちら様でしょうか？」と言った質問に、来訪者が答えた場合、その音声は、屋外マイク１８０から入力され、ＡＤＣ１８１でアナログ信号からデジタル信号に変換され、ＤＳＰ１６０内の加算器で構成されるミキシング装置１８２により、内部出力部のラインに流され、ＤＡＣ１３０でデジタル信号からアナログ信号に再度戻され、増幅器１３１で増幅されて、屋内のスピーカ１３２から屋内に出力される。
【００４６】
その来訪者の返答を聞いて屋内にいる者が答えようとする場合、その声は、屋内マイク１５０から入力され、ＡＤＣ１５１でアナログ信号からデジタル信号に変換され、ＤＳＰ１６０内の加算器で構成されるミキシング装置１７０により、外部出力部のラインに流され、ＤＡＣ１２０でデジタル信号からアナログ信号に再度戻され、増幅器１２１で増幅されて、屋外のスピーカ１２２から来訪者に対して出力される。
【００４７】
またこの際、屋内にいる子供や女性の生の声をそのまま出してしまうと防犯上危険がある場合、上記操作子１９０のうち音声変換用の操作子が音声変換用にセットされることで、上記制御装置１４０の入力ポート５ｂに操作信号が受信されると、それを受けたＣＰＵ２により、出力ポート６ａを介して、ＤＳＰ１６０にコマンドが出力され、ＡＤＣ１５１を介して入力されてくる屋内マイク１５０の入力音声は、該ＤＳＰ１６０でフォルマントが変換され、成人男性の声色になって、ミキシング装置１７０で外部出力部のラインに流され、最終的に屋外のスピーカ１２２から来訪者に対して、男性成人の声で出力されることになる。
【００４８】
図３は、上記音源モジュール１００の内部概略構成を示すブロック図である。同図に示すように、本音源モジュール１００は、ＣＰＵ２からの指令を受け、１系列３２チャンネル（３２ＣＨ）分の割り当てを行うアサイメントメモリ１０と、アサイメントメモリ１０から読み出された各チャンネル毎のＦナンバを累算するＦナンバ累算器１１と、波形読出先頭アドレスにＦナンバの累算値を加算することで読み出しアドレスが指定され、それに基づき格納されている上記屋外用出力音データＡ及び屋内用出力音データＢを出力する波形メモリ１２（音源モジュール１００の外部にセットされている）と、波形メモリ１２から読み出された上記出力音データのサンプリング補間を行うサンプル補間器１３と、アサイメントメモリ１０から読み出された各チャンネル毎のエンベロープデータを基に、読み出し波形データのエンベロープを生成するエンベロープ発生器１４と、同じくアサイメントメモリ１０から読み出された各チャンネル毎のラウドネスデータを上記エンベロープデータに付加すべく一時的に格納しておくチャンネルラウドネス補間器１５と、このラウドネスデータが付加されてチャンネルラウドネス補間がなされたエンベロープデータが、さらに上記サンプリング補間のなされた読み出し波形データに付加されてそれらの出力音データを１系列３２チャンネル毎に累算する系列累算器１６（本実施例ではＡ及びＢの２系列）と、上記アサイメントメモリ１０から読み出された系列毎のラウドネスデータに基づき系列毎のラウドネス補間を行い、系列累算器１６の出力に付加する系列ラウドネス補間器１７とを有している。
【００４９】
尚、丸に十字マークは加算器を示しており、音源モジュール１００のアサイメントメモリ１０を基に、波形メモリ１２から読み出される波形データから、最終的に屋外用出力音データＡ及び屋内用出力音データＢとして生成される過程で必要な加算処理を行う。また図中破線で示したものは、後述する実施例２の構成でＡ〜Ｃの３つの系列が使用される場合の３つ目のＣ系列の構成を有している場合を示している。
【００５０】
さらに図４は、上記アサイメントメモリ１０のメモリマップを示す説明図である。同図に示すように、波形読出先頭アドレス、Ｆナンバ、エンベロープ発生のためのトリガーとなるキーオンと該エンベロープの終了を示すキーオフのキーオンオフデータ及びエンベロープデータ、出力系列（本実施例ではＡ及びＢの２系列）を示すデータ及び各チャンネル毎のラウドネスデータが、先頭のＣＨ０からＣＨ３１の３２チャンネル分格納されており、その最後の方に各系列ラウドネスデータが格納されている。尚、ここでも系列Ｃラウドネスデータは、後述する実施例２の３つ目の系列用ラウドネスデータである。本実施例構成では、系列Ａ及び系列Ｂのラウドネスデータのみ格納されている。
【００５１】
このアサイメントメモリ１０から２系列各チャンネル毎に波形読出先頭アドレス、Ｆナンバ、キーオンオフデータ、エンベロープデータ、チャンネルラウドネスデータ、系列ラウドネスデータが読み出され、音源モジュールで、上記Ａ及びＢ系列から屋外用及び屋内用出力音データＡ・Ｂが出力されることになる。
【００５２】
以上の本実施例構成によれば、上述のように、操作子１９０の外出用操作子が外出用にセットされていれば、来訪者によって屋外玄関の呼出スイッチ１１０が押されると、その操作信号が制御装置１４０の入力ポート５ａに入力され、上記ＣＰＵ２は、バス１を介して、音源モジュール１００に対し、屋外用及び屋内用出力音データＡ・Ｂを出力させる指令を出力する。
【００５３】
その指令を受けた音源モジュール１００は、図１に示すように、出力ポートＡ及びＢから、ＤＳＰ１６０に向けて（この場合は単にスルーするだけ）、屋外用及び屋内用出力音データＡ・Ｂを出力する。各データＡ・Ｂは、夫々ＤＡＣ１２０及び１３０でデジタル信号からアナログ信号に変換され、増幅器１２１及び１３１で増幅された後、屋外スピーカ１２２及び屋内スピーカ１３２から実際の音声となって出力される。
【００５４】
この時、上述のように、音源モジュール１００に、屋内用出力音データＢとして、「ピン・ポーン」というチャイム音と共に、男性成人の呼び声の音声データが格納されていることで、「おーい、お客さんだよ」と屋内スピーカ１３２から出力され、また屋外用出力音データＡとして対応用の音声データが格納されていることで、上記屋内音出力の後に「どちら様でしょうか？」などや、さらに該質問後の「只今、所用で出られませんので、○○時に（又は○○日に）もう一度おいでください。」などといった人の気配を感じさせることができる音声が出力されることになる。特に後者の屋外用出力音データＡは、操作子１９０の外出を示す操作子や多忙を示す操作子が外出用・多忙用の状態にセットされることで、上記質問後に出力されることになる。
【００５５】
また「どちら様でしょうか？」と言った質問に、来訪者が答えた場合、その音声は、屋外マイク１８０から入力され、ＡＤＣ１８１でアナログ信号からデジタル信号に変換され、ＤＳＰ１６０内の加算器で構成されるミキシング装置１８２により、内部出力部のラインに流され、ＤＡＣ１３０でデジタル信号からアナログ信号に再度戻され、増幅器１３１で増幅されて、屋内のスピーカ１３２から屋内に出力される。
【００５６】
その来訪者の返答を聞いて屋内にいる者が答えようとする場合、その声は、屋内マイク１５０から入力され、ＡＤＣ１５１でアナログ信号からデジタル信号に変換され、ＤＳＰ１６０内の加算器で構成されるミキシング装置１７０により、外部出力部のラインに流され、ＤＡＣ１２０でデジタル信号からアナログ信号に再度戻され、増幅器１２１で増幅されて、屋外のスピーカ１２２から来訪者に対して出力される。
【００５７】
またこの際、屋内にいる子供や女性の生の声をそのまま出してしまうと防犯上危険がある場合、上記操作子１９０のうち音声変換用の操作子を音声変換用にセットすることで、上記制御装置１４０の入力ポート５ｂに該操作信号が受信され、それを受けたＣＰＵ２により、出力ポート６ａを介して、ＤＳＰ１６０にコマンドが出力され、ＡＤＣ１５１を介して入力されてくる屋内マイク１５０の入力音声は、該ＤＳＰ１６０でフォルマントが変換され、成人男性の声色になって、ミキシング装置１７０で外部出力部のラインに流され、最終的に屋外のスピーカ１２２から来訪者に対して、男性成人の声で出力されることになる。
【００５８】
以上のように作動することで、防犯上非常に高い効果が上げられるようになる。尚、同図に図示はされていないが、上記ＤＳＰ１６０と外部ＲＡＭ（図示なし）を使用して、屋外マイク１８０から入力される来訪者の人声を別途録音しておけば、誰が来訪したかが分かるようになり、大切な来訪者には後で連絡をとって、用件を聞いたり、再度の来訪などを約束したりすることができるようになる。
【００５９】
また当該構成では、音源モジュール１００に想定される様々な場合の応対用音声を格納しておき、しかも屋内の操作子１９０を、その分に対応して設けておくことで、空間内部に居る者の都合により、上記操作子１９０を操作し、外部出力音のデータとして格納されているものの中から適宜必要なデータを読み出して、制御装置１４０により音源モジュール１００から読み出される上記外部出力音データのパターンが変更され、例えば「お待ちください。」（実際に応対する前に済ましておく用がある場合など）、「もう一度お名前を教えてください。」（来訪者の名前が聞き取りできなかった場合や、怪しい来訪者の２度目の返答の様子を確かめる場合など）、「どのようなご用件でしょうか？」（来訪者の来訪目的が分からない場合や、次のお断りの返答をする場合の前置き的な言葉として）、「残念ながらお会いできません。」及び「お帰りください。」（来訪者にはっきり応対の拒絶を知らせる場合など）などと、外部出力部（屋外スピーカ１２２）から出力される出力音を変更せしめ、自分は声を出さずに、上記格納された音声データを切り換えて対応させることができるため、上記操作子１９０を切り換えるだけで、例えば来訪者がやっかいな人のために追い払うのに、仮に自分の肉声で答えるとその音声に震えが出てしまうような場合でも、はっきり拒絶することができるようになる。
【００６０】
（実施例２）
図５は、上記実施例構成と同じ人の声を出力させることができる本発明に係る電子チャイムの構成で、さらに外出中でも、携帯電話により来訪者に応対ができるシステム構成を示す説明図である。
【００６１】
本構成では、屋外に設置される呼び出しスイッチ２００と、屋外マイク２１０及び屋外スピーカ２１１を有する屋外音声入出力部と、屋内に備えられた接続切替操作子２２０と、所定の音声データが格納される音源ボード２３０と、音声入出力部を備えた電話機２４０と、該電話機２４０に対し、任意の電話先（例えば家主の所有する携帯電話４００など）にオートダイアルさせるダイアル実行部２５０と、上記音源ボード２３０の出力を電話機２４０の音声入力部に接続するセレクタ２６０と、さらに電話機２４０の音声入力部を屋外声入出力部の屋外マイク２１０に、また電話機２４０の音声出力部を屋外声入出力部の屋外スピーカ２１１に接続せしめるゲート回路で構成される切替器２７０と、上記接続切替操作子２２０が外出状態に設定されている時に、上記呼び出しスイッチ２００が押された場合、上記ダイアル実行部２５０にオートダイアルさせると共に、上記電話機２４０がダイアルされた電話先と接続された時に、上記セレクタ２６０により音源ボード２３０の出力を上記電話機２４０の音声入力部に接続して所定の音声データを出力させ、その後セレクタ２６０の切替を元に戻し、さらに上記切替器２７０により、電話機２４０の音声入力部を上記屋外音声入出力部の屋外マイク２１０に、また電話機２４０の音声出力部を上記屋外音声入出力部の屋外スピーカ２１１に接続させ、電話先から切断された時にこれらの接続を切断する制御装置２８０とを有している。
【００６２】
本実施例構成の該音源ボード２３０には、後述するように、屋外音声入出力部が電話機２４０の音声入出力部に接続され、そこから外出中の携帯電話につながった時に、予めその接続が玄関の来訪者に対する応対のための電話接続であることを知らせる旨の音声データを出力するための３つ目の出力ポートＣ（図３では破線で示された出力ポート）があり、それが上記セレクタ２６０につながっている。
【００６３】
また上記制御装置２８０には、図２のうち出力ポート６ａはなく、その代わりにダイアル実行部２５０、セレクタ２６０及び切替器２７０への制御信号を出力する出力ポート６ｂが備えられている。
【００６４】
さらに上記音源ボード２３０のＡ及びＢの出力は、加算器で構成されたミキシング装置３１０に接続されており、該ミキシング装置３１０の直列につながれた２つの加算器により、上記出力のうちの屋外用出力音データＡの出力ラインに、屋内マイク３００から入力された音声信号が加算されると共に、電話機２４０の出力部が切替器２７０のゲートが開いた時に出力されくる電話機の出力音声信号が同じく加算される。
【００６５】
従って、屋内マイク３００入力は、屋外用出力音データＡの出力ラインを通って、増幅器２１２で増幅され、屋外スピーカ２１１で出力され、また切替器２７０で電話機２４０の出力部のゲートが開き、該電話機２４０の出力部からの音声出力は、同じく屋外用出力音データＡの出力ラインを通って、増幅器２１２で増幅され、屋外スピーカ２１１で出力されることになる。
【００６６】
また屋外マイク２１０の入力は、一方で上記ミキシング装置３１０側の加算器で屋内用出力音データＢの出力ラインを通って、増幅器３０２で増幅され、屋内スピーカ３０１から出力されることになる。他方でそのマイク入力は、セレクタ２６０側に流れ、そこで遮断されず、さらに切替器２７０のゲートが開かれていれば、電話機２４０の入力部に入力されることになる。
【００６７】
本実施例構成では、接続切替操作子２２０が外出状態に設定されていない場合は、呼び出しスイッチ２００が押されることで、制御装置２８０により、音源ボード２３０から、前記実施例と同様に、屋外用及び屋内用出力音データＡ・Ｂが出力される。その後は後述する単なる加算器で構成されるミキシング装置３１０を通って、増幅器３０２及び２１２で増幅され、屋内スピーカ３０１及び屋外スピーカ２１１から、例えば屋内用には「ピン・ポーン」というチャイム音の後に「おーいお客さんだよ」と言うように、音声が出力され、また屋外用には「どちら様でしょうか？」と言うような音声が出力される。ここで音源ボード２３０内には、図示していないが、ＤＡＣが備えられおり、そこから出力される信号は皆アナログ信号である。
【００６８】
反対に接続切替操作子２２０が外出状態に設定されている場合は、屋外の呼び出しスイッチ２００が押されることで、制御装置２８０により、ダイアル実行部２５０に電話機２４０のオートダイアルを行わせる制御信号が出力され、該ダイアル実行部２５０により、電話機２４０に携帯電話４００へ自動的にダイアルさせる。
【００６９】
電話機２４０が携帯電話４００につながった際、制御装置２８０のＣＰＵ２によって、出力ポート６ｂから、セレクタ２６０に向けて制御信号が出力され、屋外マイク２１０の入力信号が遮断されると共に、該ＣＰＵ２によって、音源ボード２３０に対し、予めその接続が玄関の来訪者に対する応対のための電話接続であることを知らせる旨の音声データ（たとえば「この電話は来訪者への対応用の電話です。」など）の読み出しが実行され、出力ポートＣから出力され、またセレクタ２６０側につながった切替器２７０のゲートが閉じられて、上記音声データは、上記セレクタ２６０を介して、該電話機２４０の入力部に入力される。それによって、携帯電話４００で知らせを受けた場合、この接続は、来訪者への応対である旨がはっきり分かるようになる。
【００７０】
またその際、制御装置２８０により、他方の切替器２７０のゲートが開いた状態のままにされ、携帯電話４００で「もしもし」等と言った言葉が入力されても、屋外スピーカ２１１側に出力されないようにしておくことができる。
【００７１】
次に制御装置２８０の出力ポート６ｂから、セレクタ２６０及び切替器２７０に向けて夫々制御信号が出力され、該セレクタ２６０で出力ポートＣからの出力が遮断されて、屋外マイク２１０からの入力信号に切り換えられる。さらに切替器２７０のゲートが閉じられ、電話機２４０の入力部に、該屋外マイク２１０の入力信号が入力される。
【００７２】
以上の処理によって、来訪者に対し、外出している携帯電話４００を持った者が応対できるようになる。その際には、携帯電話４００側で「もしもし」と言った場合でも、上述のように、屋外スピーカ２１１につながる側のゲートは開いたままなので、来訪者には携帯電話４００による応対であると気付かれることはなく、また携帯電話４００では、その接続当初に、たとえば「この電話は来訪者への対応用の電話です。」などとの音声出力があるため、来訪者への応対をすべきことがすぐに分かるようになる。
【００７３】
また接続切替操作子２２０が外出状態に設定されている場合に、当初音源ボード２３０から、「どちら様でしょうか？」等と言った屋外用出力音データＡが出力され、それに対する来訪者の返答がなされている間に、電話機２４０で携帯電話４００の呼び出しがなされると共に、上記返答は音源ボード２３０に別途設けられた録音構成（図示なし）に記録され、上記電話機２４０と携帯電話４００が接続された際に、記録された来訪者の返答が、電話機２４０を介して携帯電話４００側に出力されるようにしても良い。
【００７４】
尚、本発明の電子チャイムは、上述の実施例にのみ限定されるものではなく、本発明の要旨を逸脱しない範囲内において種々変更を加え得ることは勿論である。例えば、上記図５の電話機２４０の出力部以降で増幅器２１２の入力以前に、図１のエフェクト機能を付加することも可能である（尚、図５のこの部分はアナログ回路構成となっているが、ＡＤＣでデジタルに変換した後ＤＳＰでエフェクトを付加し、その後ＤＡＣでアナログに戻しても良い）。そうすることで本人の声色を一般的な男性（又は女性）の声色に修正できることは前述のとおりである。更には、そのエフェクト機能に残響効果をも常に付加しても良い。つまり、一般的に電話から入力される音声はオンマイク（マイクのすぐ近くで話す）ため、聞く側からすると不自然な響きをもつが、その音声信号に浅い残響効果を付加することであたかも室内のマイクから少し離れた位置で話したような響きを持たせることができる。
【００７５】
【発明の効果】
以上、説明したように本発明の電子チャイムの構成によれば、来客用及び防犯用に何らかの応答を行わせ、セキュリティを向上させると共に、来訪者への応対の質を高められるという優れた効果を奏し得ることになる。
【００７６】
すなわち、チャイム音など以外に、上記のような種々の音声データが格納されて、適宜空間内部及び外部に出力されることで、人がいる気配を感じさせることができ、防犯上高い効果が得られるようになる。
【００７７】
もちろん空間内部に人がいる場合は、来訪者によっては自分の音声で対応することも可能であるが、その際子供や女性がそのまま返答した場合に空間内部にはそれらの者しかいないと思って不審者が内部に侵入してくることも考えられるので、これらの者が返事をする場合に、上述のような構成により声の質を成人男性の声質に変えることで、より高い防犯効果が得られるようになる。
【００７８】
また上記のように留守の場合、来訪者との話ができず、大事な用を済ますことができなかった場合でも、たとえば「失礼しました。只今、所用で出られませんので、○○時にもう一度おいでくださいませ。」と来訪者に向けて音声出力することで、該来訪者に失礼になってしまうことがない。
【００７９】
さらに、空間内部に居る者の都合により、上記操作子を操作し、外部出力音のデータとして格納されているものの中から適宜必要なデータを読み出して、制御手段により音源手段から読み出される上記外部出力音データのパターンが変更され、外部出力手段から出力される出力音を変更せしめ、自分は声を出さずに、上記格納された音声データを切り換えて対応させることができれば、上記操作子を切り換えるだけなので、例えば来訪者がやっかいな人のために追い払うのに、仮に自分の肉声で答えるとその音声に震えが出てしまうような場合でも、はっきり拒絶することができる。
【００８０】
他方空間内部に居る者が外出した際に、来訪者が訪ねてきた場合、請求項５〜請求項７のように、電話機から、出先の電話や自分が持って移動する携帯電話などに自動的に接続し、外出先から、来訪者と話ができるようにすることで、安心して外出先から、来訪者に応対することができるようになる。またその場合でも、外出先から応対する者が、上記電話機に接続した直後に、この電話が来訪者への対応である旨の音声が流されたり、或いは電話を接続する前に特定の電話番号が表示され、該電話の呼び出しが来訪者への対応用であることが分かるようにしておけば、通常の電話にでるような調子で「もしもし」などと通話先に話し出したりすることがなくなり、外出中であることが来訪者に悟られることがなくなり、防犯性についても問題なくなる。仮に「もしもし」と言ってしまった場合でも、その音声出力を空間外部に出力しないように設定しておけば、来訪者に外出中であることが分かるようなことはない。この場合も、さらに声質を変換できる構成とすることで、より防犯効果を高めることができることになる。
【００８１】
そして請求項９の構成のように、上記呼び出し操作感知手段により空間外部での呼び出し操作が感知された際に、自動的にその呼び出しに応答できる構成としておき、さらに来訪者がそれに答えて返答する時の様子などを後述するボイスメモリに格納しておき、上述のように、呼び出し操作の感知に対応して、電話機から自動的に所定の電話先にダイアルされて接続された時に、上記の自動応答と来訪者の返答とを聞くことができるようにすれば、その後に来訪者の来訪状況に対応した応対ができるようになる。
【図面の簡単な説明】
【図１】本発明に係る電子チャイムの一実施例構成を示す回路ブロック説明図である。
【図２】制御装置１４０の内部構成を示すブロック図である。
【図３】音源モジュール１００の内部概略構成を示すブロック図である。
【図４】アサイメントメモリ１０のメモリマップを示す説明図である。
【図５】本発明の実施例２に係る電子チャイムのシステム構成を示す説明図である。
【符号の説明】
１　　　　　システムバス
２　　　　　ＣＰＵ
３　　　　　ＲＡＭ
４　　　　　ＲＯＭ
５ａ、５ｂ　入力ポート
６ａ、６ｂ　出力ポート
１０　　　　　アサイメントメモリ
１１　　　　　Ｆナンバ累算器
１２　　　　　波形メモリ
１３　　　　　サンプル補間器
１４　　　　　エンベロープ発生器
１５　　　　　チャンネルラウドネス補間器
１６　　　　　系列累算器
１７　　　　　系列ラウドネス補間器
１００　　　　　音源モジュール
１１０　　　　　呼出スイッチ
１２０、１３０　ＤＡＣ
１２１、１３１　増幅器
１２２　　　　　屋外スピーカ
１３２　　　　　屋内スピーカ
１４０　　　　　制御装置
１５０　　　　　屋内マイク
１５１、１８１　ＡＤＣ
１６０　　　　　ＤＳＰ
１７０、１８２　ミキシング装置
１８０　　　　　屋外マイク
１９０　　　　　操作子
２００　　　　　呼出スイッチ
２１０　　　　　屋外マイク
２１１　　　　　屋外スピーカ
２１２、３０２　増幅器
２２０　　　　　接続切替操作子
２３０　　　　　音源ボード
２４０　　　　　電話機
２５０　　　　　ダイアル実行部
２６０　　　　　セレクタ
２７０　　　　　切替器
２８０　　　　　制御装置
３００　　　　　屋内マイク
３０１　　　　　屋内スピーカ
３１０　　　　　ミキシング装置
４００　　　　　携帯電話
【図１】
2004015313.tif 000003
【図２】
2004015313.tif 000004
【図３】
2004015313.tif 000005
【図４】
2004015313.tif 000006
【図５】
2004015313.tif 000007